(57)【要約】【課題】昇圧手段を予め駆動することにより、レンズ駆動手段を駆動するまでの時間を短縮する。【解決手段】電源電圧を昇圧する昇圧手段１７と、昇圧手段１７からの電圧供給を受けてレンズ部材を駆動するレンズ駆動手段１３と、昇圧手段１７およびレンズ駆動手段１３の駆動を制御するレンズ制御手段１２とを有する交換レンズが着脱可能なカメラにおいて、レンズ制御手段１２との通信が可能なカメラ制御手段３を有し、カメラ制御手段３は、レンズ制御手段１２に対して、レンズ駆動手段を駆動するためのレンズ駆動命令を送信するとともに、昇圧手段を駆動するための昇圧駆動命令を送信する。【選択図】　図２
2004069990.tif 000002
【特許請求の範囲】
【請求項１】
電源電圧を昇圧する昇圧手段と、この昇圧手段からの電圧供給を受けてレンズ部材を駆動するレンズ駆動手段と、前記昇圧手段および前記レンズ駆動手段の駆動を制御するレンズ制御手段とを有する交換レンズが着脱可能なカメラにおいて、
前記交換レンズの装着時に、前記レンズ制御手段との通信が可能なカメラ制御手段を有し、
このカメラ制御手段は、前記レンズ制御手段に対して、前記レンズ駆動手段を駆動するためのレンズ駆動命令を送信するとともに、前記昇圧手段を駆動するための昇圧駆動命令を送信することを特徴とするカメラ。
【請求項２】
前記カメラ制御手段は、前記レンズ駆動命令を送信する前に、前記昇圧駆動命令を送信することを特徴とする請求項１に記載のカメラ。
【請求項３】
前記カメラ制御手段は、前記レンズ駆動命令の送信タイミングに対して、前記昇圧手段の出力電圧が駆動開始から所定電圧に到達するまでの時間よりも前に、前記昇圧駆動命令を送信することを特徴とする請求項２に記載のカメラ。
【請求項４】
撮影準備動作を開始させるために操作される操作手段を有しており、
前記カメラ制御手段は、前記操作手段の操作に応じて前記昇圧駆動命令を送信することを特徴とする請求項１から３のいずれかに記載のカメラ。
【請求項５】
前記カメラ制御手段は、前記レンズ制御手段との通信により前記レンズ駆動手段の駆動制御が終了したか否かを判断し、この駆動制御が終了したときに前記レンズ制御手段に対して前記昇圧手段の駆動を停止させるための駆動停止信号を送信することを特徴とする請求項１から４のいずれかに記載のカメラ。
【請求項６】
交換レンズが着脱可能であり、装着時に相互通信可能なカメラにおいて、
カメラ内の動作を制御するカメラ制御手段を有し、
このカメラ制御手段は、前記交換レンズとの通信により前記交換レンズにおいて、電源電圧を昇圧してレンズ部材を駆動するレンズ駆動手段に電圧供給を行う昇圧手段の駆動制御が可能か否かを判断し、
駆動制御が可能なときには前記昇圧手段を駆動するための昇圧駆動命令を送信し、駆動制御が不可能なときには前記昇圧駆動命令を送信しないことを特徴とするカメラ。
【請求項７】
カメラに着脱可能であり、装着時に相互通信可能な交換レンズにおいて、
電源電圧を昇圧する昇圧手段と、この昇圧手段からの電圧供給を受けてレンズ部材を駆動するレンズ駆動手段と、前記昇圧手段および前記レンズ駆動手段の駆動制御を行うレンズ制御手段とを有し、
前記レンズ制御手段は、前記カメラから前記昇圧手段を駆動するための昇圧駆動命令を受信することにより前記昇圧手段を駆動し、前記カメラから前記レンズ駆動手段を駆動するためのレンズ駆動命令を受信することにより前記レンズ駆動手段を駆動することを特徴とする交換レンズ。
【請求項８】
前記レンズ制御手段は、前記レンズ駆動命令を受信する前に前記昇圧駆動命令を受信することにより、前記レンズ駆動手段を駆動する前に前記昇圧手段を駆動することを特徴とする請求項７に記載の交換レンズ。
【請求項９】
前記レンズ制御手段は、前記レンズ駆動命令の受信タイミングに対して、前記昇圧手段の出力電圧が駆動開始から所定電圧に到達するまでの時間よりも前に記昇圧駆動命令を受信して、前記昇圧手段を駆動することを特徴とする請求項８に記載の交換レンズ。
【請求項１０】
前記レンズ制御手段は、前記レンズ駆動手段の駆動を終了したときに、
前記カメラから前記昇圧手段の駆動を停止させるための駆動停止命令を受信して前記昇圧手段の駆動を停止させることを特徴とする請求項７から９のいずれかに記載の交換レンズ。
【請求項１１】
カメラと、このカメラに着脱可能な交換レンズとを有するカメラシステムにおいて、
前記交換レンズが、電源電圧を昇圧する昇圧手段と、この昇圧手段からの電圧供給を受けてレンズ部材を駆動するレンズ駆動手段と、前記昇圧手段及び前記レンズ駆動手段の駆動を制御するレンズ制御手段とを有し、
前記カメラが、前記交換レンズの装着時に前記レンズ制御手段との相互通信が可能なカメラ制御手段を有しており、
前記カメラ制御手段は、前記レンズ制御手段に対して、前記レンズ駆動手段を駆動するためのレンズ駆動命令を送信するとともに、前記昇圧手段を駆動するための昇圧駆動命令を送信し、
前記レンズ制御手段は、前記レンズ駆動命令を受信することで前記レンズ駆動手段を駆動し、前記昇圧駆動命令を受信することで前記昇圧手段を駆動することを特徴とするカメラシステム。
【請求項１２】
前記カメラ制御手段は、前記レンズ駆動命令を送信する前に、前記昇圧駆動命令を送信することを特徴とする請求項１１に記載のカメラシステム。
【請求項１３】
前記カメラ制御手段は、前記レンズ駆動命令の送信タイミングに対して、前記昇圧手段の出力電圧が駆動開始から所定電圧に到達するまでの時間よりも前に前記昇圧駆動命令を送信することを特徴とする請求項１２に記載のカメラシステム。
【請求項１４】
撮影準備動作を開始させるために操作される操作手段を有しており、
前記カメラ制御手段は、前記操作手段の操作に応じて前記昇圧駆動命令を送信することを特徴とする請求項１１から１３に記載のカメラシステム。
【請求項１５】
前記カメラ制御手段は、前記レンズ制御手段との通信により前記レンズ駆動手段の駆動制御が終了したか否かを判断し、この駆動制御が終了したときに前記レンズ制御手段に対して前記昇圧手段の駆動を停止させるための駆動停止信号を送信することを特徴とする請求項１１から１４のいずれかに記載のカメラシステム。
【請求項１６】
カメラと、このカメラに着脱可能であり、装着時に相互通信可能な交換レンズとを備えたカメラシステムにおいて、
前記カメラは、前記交換レンズとの通信により前記交換レンズにおいて、電源電圧を昇圧してレンズ部材を駆動するレンズ駆動手段に電圧供給を行う昇圧手段の駆動制御が可能か否かを判断し、
駆動制御が可能なときには前記昇圧手段を駆動するための昇圧駆動命令を送信し、駆動制御が不可能なときには前記昇圧駆動命令を送信しないことを特徴とするカメラシステム。
【発明の詳細な説明】
【０００１】
【発明の属する技術分野】
本発明は、カメラ又はカメラシステムに関し、特に、フォーカシングの駆動時間を短縮することができるものに関するものである。
【０００２】
【従来の技術】
従来、オートフォーカス機能を有し、カメラとこのカメラに対して着脱可能な交換レンズからなるカメラシステムが多用されている。
【０００３】
このようなカメラシステムのうちカメラには、以下に説明する構成部品が設けられている。すなわち、交換レンズとの通信を行うための通信部と、交換レンズ内を通過して入射する光の量を測定する測光部と、被写体までの距離を測定するための測距部とが配置されている。また、フィルムを適当な時間露光するためのシャッタ制御部と、フィルムの巻き上げ・巻き戻しを行うフィルム給送部と、撮影準備動作および撮影動作を開始させるために操作されるレリーズボタンと、カメラ動作を制御するカメラ制御部とが配置されている。
【０００４】
一方、交換レンズには、カメラとの通信を行う通信部と、フォーカスレンズを駆動するレンズ駆動部と、絞りを駆動する絞り駆動部と、レンズ動作を制御するレンズ制御部とが配置されている。
【０００５】
ここで、レンズ駆動部は、カメラに搭載された電源から電圧供給を受けて作動するようになっており、フォーカスレンズを駆動する駆動源として振動波モータを用いたものがある。この振動波モータを用いた場合、カメラ側から供給された電圧をＤＣ／ＤＣコンバータで振動波モータの駆動に必要な電圧に変換し、振動波モータに供給するようになっている。
【０００６】
一方、上述した構成のカメラシステムを用いて撮影を行う場合、このカメラシステムは以下に説明する撮影シーケンスに沿って動作する。
【０００７】
まず、撮影者がレリーズボタンを操作すると、測光動作および測距動作（撮影準備動作）が行われ、この測光結果および測距結果に基づいて絞りの駆動量およびフォーカスレンズの駆動量が演算される。そして、フォーカスレンズおよび絞りの駆動命令と、これらの駆動量とを示す情報が交換レンズのレンズ制御部に送信される。
【０００８】
レンズ制御部は、受信した情報に応じた駆動量の分だけ絞りおよびフォーカスレンズを駆動する。ここで、フォーカスレンズの駆動源に振動波モータを用いた場合、図４（ａ）に示すように、レンズ制御部はフォーカス駆動命令を受信した後、まずＤＣ／ＤＣコンバータを駆動してカメラからの出力電圧が所定の電圧レベルとなるまで昇圧する。この昇圧動作の間は、カメラは撮影に関する動作を待機している。
【０００９】
この後、カメラ制御部からの送信情報に応じた駆動量の分だけ振動波モータを駆動する。これにより、フォーカスレンズが光軸方向に進退して所定の合焦位置に停止する。そして、カメラはシャッタの開閉動作を行うことによりフィルムを適当な時間、露光する。
【００１０】
【発明が解決しようとする課題】
上述したように、フォーカスレンズの駆動源として振動波モータを用いた場合、カメラ制御部からのフォーカス駆動命令を受信してからＤＣ／ＤＣコンバータの出力電圧が十分な電圧レベルとなるまでの所定時間の間だけフォーカスレンズの駆動を待機しなければならない。このため、待機している時間だけタイムロスが生じ、撮影者がレリーズボタンを操作してからフォーカスレンズが合焦位置に達するまでのレンズ駆動時間が長くなってしまうという問題がある。
【００１１】
【課題を解決するための手段】
本発明は、電源電圧を昇圧する昇圧手段と、この昇圧手段からの電圧供給を受けてレンズ部材を駆動するレンズ駆動手段と、昇圧手段およびレンズ駆動手段の駆動を制御するレンズ制御手段とを有する交換レンズが着脱可能なカメラにおいて、交換レンズの装着時に、レンズ制御手段との通信が可能なカメラ制御手段を有し、このカメラ制御手段は、レンズ制御手段に対して、レンズ駆動手段を駆動するためのレンズ駆動命令を送信するとともに、昇圧手段を駆動するための昇圧駆動命令を送信することを特徴とする。
【００１２】
すなわち、レンズ駆動命令および昇圧駆動命令それぞれをレンズ制御手段に送信して、レンズ駆動手段および昇圧手段を個別に駆動するようにしている。これにより、レンズ駆動命令の送信によりレンズ駆動手段を駆動する前に、昇圧駆動命令の送信により昇圧手段を予め駆動させておくことができる。
【００１３】
このようにレンズ駆動手段を駆動する前に予め昇圧手段を駆動しておけば、従来技術のようにフォーカス駆動命令（レンズ駆動命令）を受けてから昇圧手段を駆動する場合に比べて、昇圧手段の昇圧動作が完了するまでレンズ駆動手段の駆動を待機することもなくなり、レンズ駆動手段を駆動するまでの時間を短縮することができる。
【００１４】
そして、レンズ駆動手段を駆動するまでの時間を短縮することにより、レンズ部材を所定の位置に短時間で移動させることができ、使用者にとって使い勝手が良いものとなる。
【００１５】
ここで、レンズ駆動命令の送信タイミングに対して、昇圧手段の出力電圧が駆動開始から所定電圧に到達するまでの時間よりも前に、昇圧駆動命令を送信しておくことができる。このような昇圧駆動命令の送信であれば、レンズ駆動命令の送信と同時にレンズ駆動手段を駆動することができる。
【００１６】
一方、撮影準備動作を開始させるために操作される操作手段を有する場合において、操作手段の操作に応じて昇圧駆動命令を送信することもできる。
【００１７】
【発明の実施の形態】
以下、本発明の一実施形態であるカメラシステムについて詳細に説明する。
【００１８】
図１は本実施形態におけるカメラシステムの外観斜視図であり、図２はカメラシステムの構成を示すブロック図である。図１および図２において、１はカメラであり、２はカメラ１に対して着脱可能な交換レンズである。カメラ１および交換レンズ２は、図１に示すマウント構造によって接続される。
【００１９】
３はカメラ１に搭載されたカメラマイコン（カメラ制御部）であり、カメラ１内のシーケンス処理を行うとともに、電気接点４１〜４３を介して交換レンズ２（レンズマイコン（レンズ制御部）１２）に対して所定の命令を送信したり所定のデータの送受信を行ったりする。
【００２０】
５は測光部であり、カメラマイコン３の命令に応じて交換レンズ２内に配置されたレンズを通って入射する光の量を測定（測光）し、この測光結果をカメラマイコン３に送る。カメラマイコン３は、測光結果に基づいて露出値の演算を行う。
【００２１】
６は測距部であり、カメラマイコン３の命令に応じて被写体距離を測定（測距）し、この測距結果をカメラマイコン３に送る。カメラマイコン３は、測距結果に基づいて撮影光学系における焦点調節状態を検出する。
【００２２】
７はシャッタ制御部であり、カメラマイコン３からの命令に応じてシャッタ装置を開閉動作させる。これにより、カメラ１内に配置されたフィルムへの露光が行われる。８はフィルム給送部であり、カメラマイコン３の命令に応じてフィルムの巻き上げ、巻き戻しを行う。
【００２３】
９はレリーズスイッチ（ＳＷ１）であり、このレリーズスイッチ９がＯＮ状態となることにより測光動作や測距動作などの撮影準備動作が開始される。１０はレリーズスイッチ（ＳＷ２）であり、このレリーズスイッチ１０がＯＮ状態となることにより撮影動作が開始される。
【００２４】
ここで、カメラ１には、２段ストロークを有するレリーズボタンが設けられており、このレリーズボタンが半押し（第１ストローク）操作されることによりＳＷ１がＯＮ状態となり、全押し（第２ストローク）操作されることによりＳＷ２がＯＮ状態となる。
【００２５】
カメラマイコン３は、ＳＷ１がＯＮ状態となることにより露出値の演算を行ったり焦点調節状態を検出したりするとともに、交換レンズ２において焦点調節動作および絞り動作を行わせるために、フォーカス駆動命令（レンズ駆動命令）および絞り駆動命令等を電気接点４１〜４３を介して交換レンズ２内のレンズマイコン１２に送信する。
【００２６】
また、カメラマイコン３は、必要に応じて交換レンズ２の動作状態（ズーム位置、フォーカス位置、絞り値など）に関するデータや、交換レンズ２に関するレンズデータ（開放絞り値、焦点距離、測距演算に必要なデータなど）を知るために、これらのデータの送信要求をレンズマイコン１２に対して行う。
【００２７】
１８は、カメラ１に搭載されたカメラ内電源（電池）である。カメラ内電源１８の電圧（図１中ＶＢＡＴ、ＰＧＮＤ）は制御系電源生成部１１に送られ、制御系電源生成部１１は、カメラシステム内の電気回路を動作させるための電圧（図１中ＶＤＤ、ＤＧＮＤ）を生成する。
【００２８】
制御系電源生成部１１で生成された電圧（ＶＤＤ、ＤＧＮＤ）は、電気接点４４、４５を介してレンズマイコン１２に送られる。この電圧は、交換レンズ２における電気回路の駆動電圧として用いられる。また、カメラ内電源１８の電圧は、電気接点４６、４７を介して交換レンズ２内の駆動部（フォーカス駆動部（レンズ駆動手段）１３および絞り駆動部１５）に送られる。
【００２９】
１２はレンズマイコンであり、交換レンズ２における各種動作を制御するとともに、電気接点４１〜４３を介してカメラマイコン３から送信された各種命令やデータを受信し、この命令に応じた処理を行う。
【００３０】
例えば、レンズマイコン１２が、カメラマイコン３からフォーカスレンズを駆動する命令を受信すると、フォーカス駆動部１３を通じてフォーカス駆動モータ１４を駆動制御することにより、不図示のフォーカスレンズを光軸方向に進退させる。
【００３１】
また、レンズマイコン１２が、カメラマイコン３から絞りを駆動する命令を受信すると、絞り駆動部１５を通じて絞り駆動モータ１６を駆動制御することにより、不図示の絞りを動作させる。さらに、レンズマイコン１２は、交換レンズ２の動作状態（ズーム位置、フォーカス位置、絞り値など）に関するデータや、交換レンズ２に関するレンズデータ（開放絞り値、焦点距離、測距演算に必要なデータなど）をカメラ１の要求に応じて送信する。
【００３２】
１３はフォーカス駆動部であり、レンズマイコン１２の命令に応じて振動波モータであるフォーカス駆動モータ１４を駆動することにより、交換レンズ２内のフォーカスレンズを光軸方向に進退させる。１５は絞り駆動部であり、レンズマイコン１２の命令に応じて絞り駆動モータ１６を駆動することにより、交換レンズ２内の絞りを動作させる。
【００３３】
１７はＤＣ／ＤＣコンバータ（昇圧手段）であり、カメラ１から電気接点４６、４７を介して送られてきたカメラ内電源１８の電圧（ＶＢＡＴ、ＰＧＮＤ）を振動波モータの駆動に必要な電圧に変換する。ここで、レンズマイコン１２は、カメラマイコン３から送信されたＤＣ／ＤＣコンバータ１７をＯＮ／ＯＦＦ状態に切り換える旨の命令を受信することにより、ＤＣ／ＤＣコンバータ１７をＯＮ状態又はＯＦＦ状態に切り換える。
【００３４】
次に上述したカメラシステムにおける撮影動作（カメラマイコン３の動作）を図３に示すフローチャートを用いて説明する。
【００３５】
ステップ♯２０１では、カメラ１に設けられた不図示のメインスイッチがＯＮ状態になっているか否かを判別する。メインスイッチがＯＮ状態になっていればステップ♯２０２に進み、ＯＦＦ状態のままならステップ♯２０１を繰り返す。
【００３６】
ステップ♯２０２では、レンズマイコン１２に対して交換レンズ２の動作状態（ズーム位置、フォーカス位置、絞り値など）を示すデータおよび交換レンズ２に関するレンズデータ（開放絞り値、焦点距離など）の送信を要求し、レンズマイコン１２から要求したデータを受信する。
【００３７】
ステップ♯２０３では、カメラ１のレリーズボタンが半押し操作されたか否か、すなわちＳＷ１がＯＮ状態となったか否かを検知する。ＳＷ１がＯＮ状態となったときには、ステップ♯２０４に進み、ＯＦＦ状態であればステップ♯２０１に戻る。
【００３８】
ステップ♯２０４では、レンズマイコン１２に対して、交換レンズ２に関するレンズデータ（測光演算および測距演算に必要なデータ）の送信を要求し、レンズマイコン１２から要求したデータを受信する。ステップ♯２０５では、測光部５を駆動することにより測光動作を行わせて、この測光結果に基づいて露出値の演算（測光演算）を行う。
【００３９】
なお、カメラマイコン３は、測光結果に基づいて撮影周囲の環境が暗いと判断した場合には、カメラ１に設けられた不図示のストロボ装置を駆動することにより撮影時にストロボ光を照射させる。
【００４０】
ステップ♯２０６では、ＤＣ／ＤＣコンバータ１７をＯＮ状態とするための命令をレンズマイコン１２に送信する。これにより、レンズマイコン１２は、ＤＣ／ＤＣコンバータ１７を駆動してカメラ内電源１８の出力電圧を昇圧させる。
【００４１】
ステップ♯２０７では、測距部６を駆動することにより測距動作を行わせ、この測距結果に基づいて焦点調節のための演算（測距演算）を行う。具体的には、測距結果に基づいて、フォーカスレンズを合焦位置まで移動させるための移動量を演算する。
【００４２】
ステップ♯２０８では、ステップ♯２０７の測距演算結果に応じてフォーカスレンズを駆動する命令をレンズマイコン１２に送信する。ステップ♯２０９では、レリーズボタンが全押し操作されたか否か、すなわちＳＷ２がＯＮ状態となったか否かを検知する。ここで、ＳＷ２がＯＮ状態となったときにはステップ♯２１２に進み、ＯＦＦ状態のときにはステップ♯２１０に進む。
【００４３】
ステップ♯２１０では、ＳＷ１がＯＮ状態か否かを検知する。ここで、ＳＷ１がＯＦＦ状態であればステップ♯２１１に進み、ＯＮ状態であればステップ♯２０９に戻る。
【００４４】
ステップ♯２１１では、ＤＣ／ＤＣコンバータ１７をＯＦＦ状態とさせるための命令およびフォーカス駆動を停止させるための命令をレンズマイコン１２に送信してステップ♯２０１に戻る。ステップ♯２１２では、交換レンズ２におけるフォーカスレンズの駆動状態に関するデータの送信をレンズマイコン１２に要求し、レンズマイコン１２から要求したデータを受信する。
【００４５】
ステップ♯２１３では、レンズマイコン１２から送信されるフォーカス駆動状態に関するデータに基づいて、交換レンズ２においてフォーカスレンズが駆動中であるか否かを判別する。交換レンズ２においてフォーカスレンズの駆動が終了した場合にはステップ♯２１４に進む。このとき、交換レンズ２内のフォーカスレンズは、所定の合焦位置まで移動して停止し、撮影光学系は合焦状態となっている。
【００４６】
一方、フォーカスレンズが駆動中である場合には、ステップ♯２１２に戻る。
【００４７】
ステップ♯２１４では、ＤＣ／ＤＣコンバータ１７をＯＦＦ状態にさせるための命令をレンズマイコン１２に送信する。これにより、レンズマイコン１２は、ＤＣ／ＤＣコンバータ１７をＯＮ状態からＯＦＦ状態に切り換える。
【００４８】
ステップ♯２１５では、絞りを駆動するための命令をレンズマイコン１２に送信する。これにより、レンズマイコン１２は、絞り駆動部１５を介して絞り駆動モータ１６の駆動制御を行うことにより、交換レンズ２内の絞り装置を動作させる。
【００４９】
ステップ♯２１６では、ステップ♯２０５で得られた露出値に基づいてシャッタ制御部７を駆動してシャッタ装置を開閉動作させる。これにより、交換レンズ２内を通過した被写体光束がカメラ１内のフィルムに露光される。
【００５０】
ステップ♯２１７では、絞りを開放状態にするための命令をレンズマイコン１２に送信する。これにより、レンズマイコン１２は、絞り駆動部１５を介して絞り駆動モータ１６を駆動制御することにより、交換レンズ２の絞り装置を開放状態とする。
【００５１】
ステップ♯２１８では、フィルム給送部８を駆動することにより、カメラ１内のフィルムを１駒分、巻き上げる。ステップ♯２１９では、フィルムに未露光の撮影コマが残っているか否かを判別し、未露光の撮影コマが残っていればステップ♯２０１に戻り、未露光の撮影コマが残っていなければステップ♯２２０に進む。
【００５２】
ステップ♯２２０では、フィルム給送部８を駆動することによりフィルムの巻き戻し動作を行う。
【００５３】
次に、本実施形態のカメラシステムにおける撮影動作中のフォーカス駆動動作について図４（ｂ）を用いて説明する。
【００５４】
図３のステップ♯２０６において、カメラマイコン３からＤＣ／ＤＣコンバータ１７をＯＮ状態とする命令（「ＤＣ／ＤＣＯＮ命令（昇圧駆動命令）」）を受けたレンズマイコン１２は、ＤＣ／ＤＣコンバータ１７をＯＮ状態とする。これにより、ＤＣ／ＤＣコンバータ１７の出力電圧は所定時間経過後に所定電圧ＶＤＲＶとなる。
【００５５】
ここで、ＤＣ／ＤＣコンバータ１７の出力電圧が所定電圧ＶＤＲＶに昇圧されるまでの間は、図３のステップ♯２０７において測距動作および測距演算が行われている。
【００５６】
そして、図３のステップ♯２０８において、カメラマイコン３からフォーカス駆動命令を受けたレンズマイコン１２は、フォーカス駆動部１３を駆動することによりフォーカシングを行う。また、ステップ♯２１１又はステップ♯２１３において、ＤＣ／ＤＣコンバータ１７をＯＦＦ状態とする命令（「ＤＣ／ＤＣＯＦＦ命令」）を受けたレンズマイコン１２は、ＤＣ／ＤＣコンバータ１７をＯＦＦ状態とする。
【００５７】
本実施形態では、フォーカスレンズの駆動源に振動波モータを用いた場合において、フォーカス駆動命令（ステップ♯２０８）を行う前に予めＤＣ／ＤＣコンバータＯＮ命令（ステップ♯２０６）を送信しておき、ＤＣ／ＤＣコンバータ１７をＯＮ状態にしている。そして、ＤＣ／ＤＣコンバータＯＮ命令（ステップ♯２０６）とフォーカス駆動命令（ステップ♯２０８）との間で測距動作／測距演算（ステップ♯２０７）を行うようにしている。
【００５８】
これにより、従来技術（図４（ａ））のように、フォーカス駆動命令の時にＤＣ／ＤＣコンバータをＯＮ状態とする場合に比べて、ＤＣ／ＤＣコンバータの出力電圧を所定の電圧レベルとするまでの時間を短縮することができる。すなわち、フォーカスレンズが合焦位置に移動するまでの時間を図４のＴに示す分だけ短縮することができる。
【００５９】
一方、交換レンズ２のレンズマイコン１２内に、ＤＣ／ＤＣコンバータ１７のＯＮ／ＯＦＦ状態の切り換え制御に関するデータを含むレンズＩＤデータを記憶させておき、カメラマイコン３がレンズマイコン１２との通信によりレンズＩＤデータを受信することにより、交換レンズ２においてＤＣ／ＤＣコンバータ１７のＯＮ／ＯＦＦ状態の切り換えが可能か否かを判別するようにしてもよい。
【００６０】
これにより、例えば、カメラ１に、ＤＣ／ＤＣコンバータをもたない交換レンズが装着されたときには、レンズＩＤデータに基づいてＤＣ／ＤＣコンバータのＯＮ／ＯＦＦ命令を送信しないようにすることで、無駄な通信を防止することができる。
【００６１】
また、カメラマイコン３がレンズマイコン１２との通信により交換レンズ２におけるＤＣ／ＤＣコンバータ１７のＯＮ／ＯＦＦ状態を検知するようにすることで、交換レンズ２がカメラマイコン３からの命令に応じて正常に動作しているか否か、すなわち、ＤＣ／ＤＣコンバータ１７のＯＮ／ＯＦＦ状態の切り換えが正常に動作しているか否かを判断することができる。
【００６２】
そして、交換レンズ２がカメラマイコン３からの命令に応じて正常に動作していない場合には、その旨を示す内容をカメラ１等の表示部に表示することにより撮影者に警告を発したり、カメラ動作をリセットしたりすることができる。これにより、交換レンズ２における誤動作を防止することができる。
【００６３】
本実施形態においては、ＤＣ／ＤＣコンバータＯＮ命令（ステップ♯２０６）をステップ♯２０７における測距動作および測距演算を行う前のタイミングでレンズマイコン１２へ送信しているが、ステップ♯２０８におけるフォーカス駆動命令を送信する前のタイミングであればいつでもよい。
【００６４】
このように、フォーカス駆動命令を行う前にＤＣ／ＤＣコンバータ１７をＯＮ状態とすることにより、従来技術（図４（ａ））のようにフォーカス駆動命令と同時にＤＣ／ＤＣコンバータをＯＮ状態とする場合に比べてＤＣ／ＤＣコンバータの出力電力が所定の電圧レベルとなるまでの待機時間を短縮することができ、フォーカスレンズの駆動を早く終了させることができる。
【００６５】
特に、ステップ♯２０８のフォーカス駆動命令が行われるときに、ＤＣ／ＤＣコンバータ１７の出力電圧が所定の電圧レベルとなるように予めＤＣ／ＤＣコンバータＯＮ命令を送信しておけば、待機時間なくフォーカス駆動命令に同期してフォーカスレンズを駆動することができる。
【００６６】
例えば、レリーズボタンが半押し操作されたとき、すなわち、ＳＷ１がＯＮ状態となったときに、ＤＣ／ＤＣコンバータＯＮ命令をレンズマイコン１２に送信することができる。
【００６７】
また、本実施形態では、カメラマイコン３からのＤＣ／ＤＣコンバータＯＦＦ命令（ステップ♯２１４）を受けたレンズマイコン１２がＤＣ／ＤＣコンバータ１７をＯＦＦ状態に切り換えているが、フォーカスレンズの駆動が終了したときに、レンズマイコン１２によりＤＣ／ＤＣコンバータ１７をＯＦＦ状態に切り換えるようにしてもよい。
【００６８】
さらに、本実施形態では、フォーカス駆動に振動波モータを用いた例を示したが、カメラ１から供給された電圧をＤＣ／ＤＣコンバータ１７で変換した電圧を用いて駆動するモータであればどのようなモータであってもよい。
【００６９】
また、本実施形態では、交換レンズ２およびカメラ１から構成されるカメラシステムについて説明したものであるが、本発明はこれに限られるものではない。すなわち、本実施形態における交換レンズ２およびカメラ１が一体となったカメラについても本発明を適用することができる。
【００７０】
【発明の効果】
本発明によれば、レンズ駆動命令および昇圧駆動命令それぞれをレンズ制御手段に送信して、レンズ駆動手段および昇圧手段を個別に駆動するようにすることで、レンズ駆動命令の送信によりレンズ駆動手段を駆動する前に、昇圧駆動命令の送信により昇圧手段を予め駆動させておくことができる。
【００７１】
このようにレンズ駆動手段を駆動する前に予め昇圧手段を駆動しておけば、従来技術のようにフォーカス駆動命令（レンズ駆動命令）を受けてから昇圧手段を駆動する場合に比べて、昇圧手段の昇圧動作が完了するまでレンズ駆動手段の駆動を待機することもなくなり、レンズ駆動手段を駆動するまでの時間を短縮することができる。
【００７２】
そして、レンズ駆動手段を駆動するまでの時間を短縮することにより、レンズ部材を所定の位置に短時間で移動させることができ、使用者にとって使い勝手が良いものとなる。
【図面の簡単な説明】
【図１】本実施形態におけるカメラシステムの外観斜視図。
【図２】本実施形態におけるカメラシステムの構成を示すブロック図。
【図３】本実施形態のカメラシステムにおける撮影動作のフローチャートを示す図。
【図４】（ａ）従来技術のカメラシステムにおけるフォーカス駆動のタイミングチャートを示す図。
（ｂ）本実施形態のカメラシステムにおけるフォーカス駆動のタイミングチャートを示す図。
【符号の説明】
１　　カメラ
２　　交換レンズ
３　　カメラマイコン
５　　測光部
６　　測距部
７　　シャッタ制御部
８　　フィルム給送部
９　　ＳＷ１
１０　ＳＷ２
１１　制御系電源生成部
１２　レンズマイコン
１３　フォーカス駆動部
１４　フォーカス駆動モータ
１５　絞り駆動部
１６　絞り駆動モータ
【図１】
2004069990.tif 000003
【図２】
2004069990.tif 000004
【図３】
2004069990.tif 000005
【図４】
2004069990.tif 000006